(57)【要約】　　　（修正有）【課題】結婚の記念として残すのに好適な人形の提供。【解決手段】鉛直方向に長い形状の芯部材を設け、該芯部材の外周に、結婚式で花嫁に着用可能なベール１６を無切断で巻き付けて、ベールを被った形態の頭部１３、胸部１４、下半身部１５を上から順に有するウエディングドレス姿状に形成した人形１１。【選択図】　　図２
0003098348.tif 000002
【実用新案登録請求の範囲】
【請求項１】
鉛直方向に長い形状の芯部材を設け、
該芯部材の外周に、結婚式で花嫁に着用可能なベールを無切断で巻き付けて、ベールを被った形態の頭部、胸部、下半身部を上から順に有するウエディングドレス姿状に形成した
人形。
【請求項２】
前記芯部材を、前記頭部の芯となる球状をなす頭部球体と、少なくとも上部に中空部を有し、前記胸部及び下半身部の芯となる胴部筒体とを用いて形成し、
上記頭部球体の下端には、胴部筒体の中空部に差込可能な差込部を突出形成し、該差込部を中空部に対して差し込んだときに、巻き付けたベールの余り部分を相互間に詰め込み可能な詰め込み空間を形成すべく、差込部と中空部の寸法を設定した
請求項１に記載の人形。
【請求項３】
前記芯部材の下半身部に対応する部位に、下半身部に膨らみを持たせる形の保形部を形成した
請求項１又は２に記載の人形。
【請求項４】
前記ベールにおける人形形成時に表に出る部位に、日付又は名前のうちの少なくとも一方からなる表示部を形成した
請求項１から請求項３のうちのいずれか一項に記載の人形。
【請求項５】
当該人形における頭部、首部、胸部又は下半身部のうちの少なくとも一部に、アクセサリ部材を取り付けた
請求項１から請求項４のうちのいずれか一項に記載の人形。
【請求項６】
支柱を有する土台に前記芯部材を支持し、ケース内に収納した
請求項１から請求項５のうちのいずれか一項に記載の人形。
【請求項７】
前記請求項１から請求項３のうちのいずれか一項に記載の人形の形成に用いる芯部材。
【請求項８】
前記請求項４に記載の人形の形成に用いる
ベール。
【考案の詳細な説明】
【０００１】
【考案の属する技術分野】
この考案は、結婚の記念として残すのに好適な人形に関する。
【０００２】
【従来の技術】
結婚は、一生の思い出の一つとして大切にされる。
【０００３】
一般的には、写真や映像によって残されるが、それだけでは足らず、特に花嫁にとっては自分が着用したウエディングドレスを記念として残したいという気持ちがある。このため、一部では、ウエディングドレスをそのまま残したり、他の衣にリフォームして残したりすることが行われている。実際に着用したものであるので、臨場感があり、もっとも好まれる方法である。
【０００４】
しかし、ウエディングドレスは高価であるため、現実には借りて着用する場合が圧倒的に多い。このため、実際に着用したウエディングドレスをそのままで残すことも、他の衣にリフォームして残すこともできない。
【０００５】
このため、記念は、やはり写真等に頼らざるを得ないというのが現実である。
【０００６】
また、実際に着用したウエディングドレスを残すには、場所を取り、管理も大変であるので、そう簡単にはできない。
【０００７】
【考案が解決しようとする課題】
そこでこの考案は、ウエディングドレスに不可欠なベールを活用することで、たとえウエディングドレスは借り物であっても、自らのものとして臨場感ある状態で手軽に記念に残すことができるようにする技術の提供を課題とする。
【０００８】
【課題を解決するための手段】
そのための手段は、鉛直方向に長い形状の芯部材を設け、該芯部材の外周に、結婚式で花嫁に着用可能なベールを無切断で巻き付けて、すなわち周りに絡み付けて、ベールを被った形態の頭部、胸部、下半身部を上から順に有するウエディングドレス姿状に形成した人形であることを特徴とする。
【０００９】
上記「鉛直方向に長い」とは、鉛直方向でない水平方向の長さよりも鉛直方向の方が長い形状のことをいう。
【００１０】
また上記「結婚式で着用可能」とは、実際に花嫁が着用可能であることを意味し、現実に着用したもの、又は将来着用するものを含む。
【００１１】
さらに上記「ベールを被った形態の頭部」のうちの「ベール」は、人形の一部位としてのベールである。
【００１２】
上記芯部材は、上記頭部の芯となる球状をなす頭部球体と、少なくとも上部に中空部を有し、上記胸部及び下半身部の芯となる胴部筒体とを用いて形成し、上記頭部球体の下端には、胴部筒体の中空部に差込可能な差込部を突出形成し、該差込部を中空部に対して差し込んだときに、巻き付けたベールの余り部分を相互間に詰め込み可能な詰め込み空間を形成すべく、差込部と中空部の寸法を設定するとよい。なお、芯となる上記頭部球体及び胴部筒体は、露出させるもよい。
【００１３】
上記芯部材の下半身部に対応する部位には、下半身部に膨らみを持たせる形の保形部を形成すると、下半身部の形成が容易である。
【００１４】
また、記念とするのにより良いのは、上記ベールにおける人形形成時に表に出る部位に、日付又は名前のうちの少なくとも一方からなる表示部を形成するとよい。上記日付は結婚記念日、名前は花嫁と花婿の名前などとするとよい。また表示部は、刺繍で形成すると、きれいである。
【００１５】
さらに、当該人形における頭部、首部、胸部又は下半身部のうちの少なくとも一部に、アクセサリ部材を取り付けるとよい。例えば頭部に取り付ければ頭飾り、首部に取り付ければ首飾り、胸部と下半身部の上部との間に取り付ければ手に抱えた状態のブーケとなる。
【００１６】
また保管しやすいように、支柱を有する土台に上記芯部材を支持し、ケース内に収納するとよい。
【００１７】
別の手段は、上記人形の形成に用いる芯部材であることを特徴とする。
【００１８】
さらに別の手段は、日付又は名前のうちの少なくとも一方からなる表示部を有した上記人形の形成に用いるベールであることを特徴とする。
【００１９】
【考案の効果】
以上のようにこの考案によれば、結婚式で着用可能なベール、すなわち実際に着用したベールを芯部材に巻き付けることでウエディングドレス姿の人形を得られるので、その人形を自らに見立てて記念として残すことができる。
【００２０】
しかも、ベールはウエディングドレスに比して廉価であるので、購入してもらいやすく、実際に行われやすい。自らのものとして手軽に記念に残すことができる。
【００２１】
その上、ウエディングドレス姿の人形であるので、臨場感があって当時の場面を振り返りやすい上に、ウエディングドレスに比して小さいので、保管も容易である。
【００２２】
さらに、ベールというものは、清らかで汚れのない清浄のシンボルであり、結婚の儀式では邪悪なものから身を守るという意味もあって、花婿の手でフェイスベールが取り払われる行為は深い意味を持つものである。つまりその存在意義はウエディングドレスに劣らず大切なものであるので、自らが着用したものを残すことは、大きな記念になる。
【００２３】
また、芯部材は鉛直方向に長い形状であるので、頭部、胸部、下半身部を有するウエディングドレス姿に形成しやすい。
【００２４】
しかも、ベールを無切断で巻き付けることで人形を形成するので、切らないため、解けば自分よりも下の者、例えば妹や娘が実際の結婚式で着用することもできる。また、切らないので縁起がよい。
【００２５】
請求項２に係る発明のように、芯部材を頭部球体と胴部筒体とを用いて形成すると、頭部を形成する作業は、頭部に被るベール部分を形成するのみでよく、簡単に行える。また、ベールを被った形態の頭部、胸部、下半身部とを形成したあとの余り部分を、頭部球体の差込部と、胴部筒体の中空部との間の詰め込み空間に詰め込むことで、所望の形状の人形を作ることが容易になる。
【００２６】
請求項３に係る発明のように、芯部材の下半身部に対応する部位に保形部材を形成すると、下半身部を広がった形状にすることが容易であり、よりリアルな人形を形成できる。
【００２７】
請求項４に係る発明のように、ベールの所定部位に日付又は名前のうちの少なくとも一方からなる表示部を刺繍等で形成すると、記念とする日や名前を明示することができ、記念としての効果が高まる。上記表示部は、結婚式前に形成し、結婚式時には表示のついたまま着用して、結婚式のあとでベールを人形に加工して、花嫁に引き渡すようにするとよい。
【００２８】
請求項５に係る発明のように、アクセサリ部材を取り付けると、より現実味を帯びた人形に形成できる。
【００２９】
請求項６に係る発明のように、支柱を有する土台に支持し、ケース内に収納すると、鉛直方向に長い芯部材の支持が容易に行え、位置ずれもしない上に、ケースに収まるので、汚れからも防ぐことができて、記念品として保管するのによい。
【００３０】
請求項７、８に係る発明のように、上記人形の形成に用いる材料によれば、上述のように心に残る記念品の作成が容易になる効果を有する。
【００３１】
【考案の実施の形態】
この考案の一実施の形態を、以下図面を用いて説明する。
図１は、人形１１と、該人形１１を収納したケース１２を示す斜視図であり、図２はその正面図である。
【００３２】
このように人形１１は、ウエディングドレスを着用した花嫁姿をしており、上から、ベールを被った形態の頭部１３、胸部１４、下半身部１５と、順に有する。
【００３３】
この人形１１は、花嫁が実際に結婚式で着用したベール１６を、図３に示したように芯部材１７の外周に無切断で巻き付けて形成する。またベール１６と芯部材１７のほかに、複数のアクセサリ部材を用いる。
【００３４】
ベール１６は、図２に示したように、人形形成時に表に出る部位に、結婚式を挙げる日付と、花嫁及び花婿の名前からなる表示部１６ａを刺繍によって形成している。その他の部位には、何ら手を入れない。
【００３５】
上記芯部材１７は、頭部球体１８と胴部筒体１９とからなり、頭部球体１８は、合成樹脂や発泡樹脂、木、毛糸など適宜の材料からなる球状で、上部には頭髪に似せた、例えば毛糸などの適宜の線状体からなる頭髪部材１８ａを取り付けている。頭部球体１８の表面の色は白色がよい。
【００３６】
また、頭部球体１８の下端には、下方に突出する棒状の差込部１８ａを形成している。
【００３７】
上記胴部筒体１９は、上記差込部１８ｂを差込可能な径の中空部１９ａを上下方向に貫通させた筒状に形成している。長さは、人形の胸部１４から下を形成する長さである。上記中空部１９ａの径は、差込部１８ｂを差し込んだときに、巻き付けたベール１６の余り部分１６ｂを詰め込み可能な詰め込み空間２０を形成できる寸法に設定している（図４参照）。
【００３８】
そして、胴部筒体１９の中間部から下側の部分の外周部には、下半身部１５に膨らみを持たせるため、椀を伏せた形の保形部２１を形成している。この保形部２１は、白色や透明の材料を用いるのがよく、和紙や合成樹脂フィルム、セロファン等で形成するとよい。
【００３９】
上記アクセサリ部材としては、次のものを使用する。
すなわち、頭部球体１８の頭髪部材１８ａ近傍に取り付ける頭飾り部材２２、頭部１３と胸部１４の間に取り付ける首飾り部材２３、胸部１４に上から透けて見えるように取り付けるブラジャ部材２４、胸部１４と下半身部１５との間の部位に上から巻き付けるベルトリボン部材２５、該ベルトリボン部材２５の前側に取り付けるブーケ部材２６である。
【００４０】
上記頭飾り部材２２と首飾り部材２３は、適宜形成ずればよいが、例えばビーズを用いて形成するとよい。
【００４１】
また、ブラジャ部材２４はガーゼ等の適宜生地を所定の形状に裁断して形成するとよい。
【００４２】
ベルトリボン部材２５は、白又はその他適宜色の細幅の平紐を用いて形成する。
【００４３】
ブーケ部材２６は、紙等の適宜材料でブーケ状、すなわち花束状に形成する。
【００４４】
上記各部材２２〜２６のいずれも、形成する人形１１の大きさに対応させて形成する。
【００４５】
人形の形成は、ベール１６の一部を頭部球体１８にベールを被った形態にすべく形を整えて取り付けるとともに、頭飾り部材２２を頭部球体１８に取り付ける。また胸部１４及び下半身部１５を所定の形状になるように胴部筒体１９の外周に巻き付け、胸部１４形成時にはブラジャ部材２４を相互に重なるベールとベールとの間に挟み込む。そして外側の全体を所望の人形形状に形成するときに余る余り部分１６ｂを、頭部球体１８と胴部筒体１９との間の詰め込み空間２０に詰め込み、全体の形を整える。同時に、ベルトリボン部材２５を胸部１４と下半身部１５との間に巻き付けて、背面側で結び目（図示せず）を作る。またベルトリボン部材２５の前側部分であって人形１１にとって左側部分にブーケ部材２６を取り付ける。
【００４６】
このように構成した人形１１は、図５に示したように、ケース１２の下端部を構成する土台１２ａの中央に立設した支柱１２ｂに、胴部筒体１９を上から差し込んで立てる。立てたときに、胴部筒体１９の下端が接地しないように支柱１２ｂの長さを設定しておく。
【００４７】
胴部筒体１９が長さ方向の全体に貫通していない構造の場合、例えば、下端部に適宜長さの凹部２７を有する場合には、該凹部２７の深さに対応した支柱１２ｂを形成する。つまり土台１２ａには、上へ大きく突出した支柱を必ずしも形成せずともよく、例えば、図５に示したように、土台１２内に収まる高さの支柱１２ｂであるもよい。
【００４８】
上述のように、結婚式で実際に着用したベール１６を芯部材１７に巻き付けることでウエディングドレス姿の人形１１を得られるので、その人形１１を自らに見立てて記念品として残すことができる。
【００４９】
しかも、ベール１６はウエディングドレスに比して廉価であるので、購入してもらいやすく、容易に広まる。つまり、誰でも自らのものとして記念に残すことが手軽にできる。
【００５０】
その上、ウエディングドレス姿の人形１１であるので、写真等に比して臨場感があって当時の場面を振り返りやすい上に、ウエディングドレスに比して小さいので、保管も容易である。さらに、その意味も思いも深いベール１６を用いて形成する人形であるので、大きな記念になる。
【００５１】
また、芯部材１７は鉛直方向に長い形状であるので、頭部１３、胸部１４、下半身部１５を有するウエディングドレス姿に形成しやすい。
【００５２】
しかも、ベール１６を無切断で巻き付けることで人形１１を形成するので、切らないため、ベール１６を解けば、自分よりも後に結婚を迎える者、例えば妹や娘が、実際の結婚式で着用することもできる。また、切らないので縁起がよい。
【００５３】
また、芯部材１７を頭部球体１８と胴部筒体１９とを用いて形成したので、頭部球体１８には頭部１３に被るベール部分を形成するのみでよく、人形１１の形成が簡単に行える。また、ベールを被った形態の頭部１３、胸部１４、下半身部１５とを形成したあとの余り部分１６ｂを、頭部球体１８の差込部１８ｂと、胴部筒体１９の中空部１９ａとの間の詰め込み空間２０に詰め込むようにしたので、所望の形状の人形１１を、頭部球体１８と胴部筒体１９とを連結しながら容易に作ることができる。しかも、頭部球体１８と胴部筒体１９は詰め込まれた余り部分１６ｂで連結されるため、接着剤等の連結手段が不要で、将来ベール１６を使用することも可能である。
【００５４】
上記胴部筒体１９にはまた、保形部材２１を形成しているで、下半身部１５を広がった形状に形成することが容易であり、よりリアルな人形１１を形成できる。
【００５５】
さらに、ベール１６には結婚式を挙げた日付と結婚式を挙げた二人の名前を表示部１６ａに表示しているので、記念としての効果が高まる。
【００５６】
また複数のアクセサリ部材２２〜２６を取り付けることによっても、より現実味を帯びた、記念品として好適な人形１１に形成できる。
【００５７】
さらにまた人形１１は、支柱１２ｂを有する土台１２ａに支持してケース１２内に収納するので、位置ずれしない状態でケース１２に収まる。このため、損傷することも、汚れることも防ぐことができて、記念品として保管するのに都合がよい。
【図面の簡単な説明】
【図１】ケースに収納した人形の斜視図。
【図２】ケースに収納した人形の正面図。
【図３】人形の分解説明図。
【図４】人形の要部を示す断面図。
【図５】人形とこれを支持する土台の正面図。
【図６】他の例を示す土台と胴部筒体の断面図。
【符号の説明】
１１…人形
１２…ケース
１２ａ…土台
１２ｂ…支柱
１３…頭部
１４…胸部
１５…下半身部
１６…ベール
１６ａ…表示部
１６ｂ…余り部分
１７…芯部材
１８…頭部球体
１８ｂ…差込部
１９…胴部筒体
１９ａ…中空部
２０…詰め込み空間
２１…保形部
２２…頭飾り部材
２３…首飾り部材
２４…ブラジャ部材
２５…ベルトリボン部材
２６…ブーケ部材
【図１】
0003098348.tif 000003
【図２】
0003098348.tif 000004
【図３】
0003098348.tif 000005
【図４】
0003098348.tif 000006
【図５】
0003098348.tif 000007
【図６】
0003098348.tif 000008
【手続補正書】
【提出日】平成15年7月17日(2003.7.17)
【手続補正１】
【補正対象書類名】明細書
【補正対象項目名】実用新案登録請求の範囲
【補正方法】変更
【補正の内容】
【実用新案登録請求の範囲】
【請求項１】
鉛直方向に長い形状の芯部材を設け、
該芯部材の外周に、結婚式で花嫁に着用可能なベールを無切断で巻き付けて、ベールを被った形態の頭部、胸部、下半身部を上から順に有するウエディングドレス姿状に形成した
人形。
【請求項２】
前記芯部材を、前記頭部の芯となる球状をなす頭部球体と、少なくとも上部に中空部を有し、前記胸部及び下半身部の芯となる胴部筒体とを用いて形成し、
上記頭部球体の下端には、胴部筒体の中空部に差込可能な差込部を突出形成し、
該差込部を中空部に対して差し込んだときに、巻き付けたベールの余り部分を相互間に詰め込み可能な詰め込み空間を形成すべく、差込部と中空部の寸法を設定した
請求項１に記載の人形。
【請求項３】
前記芯部材の下半身部に対応する部位に、下半身部に膨らみを持たせる形の保形部を形成した
請求項１又は２に記載の人形。
【請求項４】
前記ベールにおける人形形成時に表に出る部位に、日付又は名前のうちの少なくとも一方からなる表示部を形成した
請求項１から請求項３のうちのいずれか一項に記載の人形。
【請求項５】
当該人形における頭部、首部、胸部又は下半身部のうちの少なくとも一部に、アクセサリ部材を取り付けた
請求項１から請求項４のうちのいずれか一項に記載の人形。
【請求項６】
支柱を有する土台に前記芯部材を支持し、ケース内に収納した
請求項１から請求項５のうちのいずれか一項に記載の人形。